(57)【要約】【課題】新たに装置構成を増やすことなく、近接センサの調整を行う。【解決手段】状況判定部１１２は、近接する物体の有無が明らかな状況であるか否かを判定する。特性判定部１１３は、状況判定部１１２が、近接する物体の有無が明らかな状況であると判定した場合において、近接センサ９０による近接する物体の有無の判定結果が誤っているときに、近接センサ９０の受光特性が変化したと判定する。【選択図】図７
2013258517.tif 000002
【特許請求の範囲】
【請求項１】
光を投受光することにより近接する物体の有無を判定する近接センサと、
近接する物体の有無が明らかな状況であるか否かを判定する状況判定部と、
前記状況判定部が、近接する物体の有無が明らかな状況であると判定した場合において、前記近接センサによる近接する物体の有無の判定結果が誤っているときに、前記近接センサの受光特性が変化したと判定する特性判定部と
を備えることを特徴とする近接センサ調整装置。
【請求項２】
前記近接センサは、受光量と所定の閾値との比較に基づいて近接する物体の有無を判定し、
前記特性判定部が、前記近接センサの受光特性が変化したと判定した場合に、前記近接センサによる近接する物体の有無の判定結果が正しくなるよう前記閾値を変化させる閾値調整部
を備えることを特徴とする請求項１に記載の近接センサ調整装置。
【請求項３】
前記閾値調整部が前記閾値を変化させても前記近接センサによる近接する物体の有無の判定結果が正しくならない場合に、前記近接センサが正常に動作しない旨を通知する通知部
を備えることを特徴とする請求項２に記載の近接センサ調整装置。
【請求項４】
前記状況判定部は、近接する物体があることが明らかな状況であるか否かを判定し、
前記特性判定部は、前記状況判定部が、近接する物体があることが明らかな状況であると判定した場合において、前記近接センサが近接する物体が無いと判定したときに、前記近接センサの受光特性が変化したと判定する
を備えることを特徴とする請求項１から請求項３の何れか１項に記載の近接センサ調整装置。
【請求項５】
自装置の外郭をなす開閉自在な筐体を備え、
前記近接センサは、前記筐体のうち、当該筐体が閉状態のときに遮蔽される位置に設けられ、
前記状況判定部は、前記筐体が閉状態のときに、近接する物体があることが明らかな状況であると判定する
ことを特徴とする請求項４に記載の近接センサ調整装置。
【請求項６】
前記状況判定部は、近接する物体が無いことが明らかな状況であるか否かを判定し、
前記特性判定部は、前記状況判定部が、近接する物体が無いことが明らかな状況であると判定した場合において、前記近接センサが近接する物体があると判定したときに、前記近接センサの受光特性が変化したと判定する
を備えることを特徴とする請求項１から請求項４の何れか１項に記載の近接センサ調整装置。
【請求項７】
自装置の外郭をなす筐体を備え、
前記近接センサは、前記筐体のうち、自装置がホルダに設置されたときに露出する位置に設けられ、
前記状況判定部は、自装置がホルダに設置されたときに、近接する物体がないことが明らかな状況であると判定する
ことを特徴とする請求項６に記載の近接センサ調整装置。
【請求項８】
自装置の外郭をなす筐体と、
前記筐体の一の面に設けられたカメラと
を備え、
前記近接センサは、前記筐体のうち前記カメラと同一の面に設けられ、
前記状況判定部は、前記カメラによる撮像を行っているときに、近接する物体がないことが明らかな状況であると判定する
ことを特徴とする請求項６に記載の近接センサ調整装置。
【請求項９】
光を投受光することにより近接する物体の有無を判定する近接センサの調整方法であって、
状況判定部は、近接する物体の有無が明らかな状況であるか否かを判定し、
特性判定部は、前記状況判定部が、近接する物体の有無が明らかな状況であると判定した場合において、前記近接センサによる近接する物体の有無の判定結果が誤っているときに、前記近接センサの受光特性が変化したと判定する
ことを特徴とする調整方法。
【請求項１０】
光を投受光することにより近接する物体の有無を判定する近接センサを備えるコンピュータを、
近接する物体の有無が明らかな状況であるか否かを判定する状況判定部、
前記状況判定部が、近接する物体の有無が明らかな状況であると判定した場合において、前記近接センサによる近接する物体の有無の判定結果が誤っているときに、前記近接センサの受光特性が変化したと判定する特性判定部
として機能させるためのプログラム。
【発明の詳細な説明】
【技術分野】
【０００１】
本発明は、光を投受光することにより近接する物体の有無を判定する近接センサの調整を行う近接センサ調整装置、調整方法及びプログラムに関する。
【背景技術】
【０００２】
タッチパネルによる操作を行う携帯電話端末が普及している。このような携帯電話端末は、通話の際にタッチパネルが顔と接触する。そのため、このような携帯電話端末には、誤操作を防止するためにスピーカ付近に近接センサが設けられ、物体の近接を検知したときに、タッチパネルによる入力を無効化したり、ディスプレイやバックライトの出力を停止させたりしている。近接センサには、光を投受光することにより近接する物体の有無を判定するものがある。
【０００３】
しかしながら、近接センサが投受光する光が通過するウインドウの汚損の影響により、近接センサの受光特性が変化し、近接する物体の有無を正常に検知できなくなることがある。これは、汚損により物体による反射光以外の反射光を受光してしまうため、または物体による反射光が受光できないためである。なお、汚損の例としては、ウインドウに貼付された保護シートや、ウインドウについた傷などがあげられる。
【０００４】
ここで、特許文献１には、ウインドウの汚損を検出する光学装置の技術が開示されている。特許文献１によれば、近接センサなどの光学系と別個にウインドウ越しに投光機と受光器を設け、受光器が光を受光できるか否かを判定することで、汚損の有無の検出を行う。
【先行技術文献】
【特許文献】
【０００５】
【特許文献１】特開２００７−２１４１７９号公報
【発明の概要】
【発明が解決しようとする課題】
【０００６】
特許文献１に開示された方法を用いて近接センサの調整を行う場合、近接センサ以外に投光機と受光器を設ける必要がある。しかしながら、携帯電話端末などは小型化が望まれており、新たに装置構成を増やすことは好ましくない。また、ウインドウをはさんで投光器と受光器を設ける必要があることから、ウインドウの付近に投光器または受光器を設けるための突出部を設ける必要がある。これも、携帯電話端末の意匠に制限を与えることとなるため、好ましくない。
【０００７】
本発明の目的は、上述した課題を解決する近接センサ調整装置、調整方法及びプログラムを提供することにある。
【課題を解決するための手段】
【０００８】
本発明は上記の課題を解決するためになされたものであり、光を投受光することにより近接する物体の有無を判定する近接センサと、近接する物体の有無が明らかな状況であるか否かを判定する状況判定部と、前記状況判定部が、近接する物体の有無が明らかな状況であると判定した場合において、前記近接センサによる近接する物体の有無の判定結果が誤っているときに、前記近接センサの受光特性が変化したと判定する特性判定部とを備えることを特徴とする近接センサ調整装置である。
【０００９】
また、本発明は、光を投受光することにより近接する物体の有無を判定する近接センサの調整方法であって、状況判定部は、近接する物体の有無が明らかな状況であるか否かを判定し、特性判定部は、前記状況判定部が、近接する物体の有無が明らかな状況であると判定した場合において、前記近接センサによる近接する物体の有無の判定結果が誤っているときに、前記近接センサの受光特性が変化したと判定することを特徴とする。
【００１０】
また、本発明は、光を投受光することにより近接する物体の有無を判定する近接センサを備えるコンピュータを、近接する物体の有無が明らかな状況であるか否かを判定する状況判定部、前記状況判定部が、近接する物体の有無が明らかな状況であると判定した場合において、前記近接センサによる近接する物体の有無の判定結果が誤っているときに、前記近接センサの受光特性が変化したと判定する特性判定部として機能させるためのプログラムである。
【発明の効果】
【００１１】
本発明によれば、携帯電話端末に新たに装置構成を増やすことなく、近接センサの調整を行うことができる。
【図面の簡単な説明】
【００１２】
【図１】本発明の一実施形態による携帯電話端末の概観図である。
【図２】本発明の一実施形態による携帯電話端末のソフトウェア構成を示す概略ブロック図である。
【図３】本発明の一実施形態による携帯電話端末による近接センサの調整方法を示すフローチャートである。
【図４】近接センサの受光量と物体の距離との関係を示す図である。
【図５】閾値調整部により非検出閾値の調整をすることができない場合の例を示す図である。
【図６】本発明の他の実施形態による携帯電話端末の概観図である。
【図７】本発明による近接センサ調整装置の基本構成を示す概略ブロック図である。
【発明を実施するための形態】
【００１３】
以下、図面を参照しながら本発明の実施形態について詳しく説明する。
図１は、本発明の一実施形態による携帯電話端末１の概観図である。
携帯電話端末１（近接センサ調整装置）は、外郭をなす筐体１０、タッチパネル２０、スピーカ３０、マイク４０、インカメラ５０、近接センサ６０、開閉センサ７０、姿勢センサ８０、ＲＯＭ９０（Ｒｅａｄ  Ｏｎｌｙ  Ｍｅｍｏｒｙ）、ＲＡＭ１００（Ｒａｎｄｏｍ  Ａｃｃｅｓｓ  Ｍｅｍｏｒｙ）、ＣＰＵ１１０（Ｃｅｎｔｒａｌ  Ｐｒｏｃｅｓｓｉｎｇ  Ｕｎｉｔ）を備える。
【００１４】
筐体１０は、第１の筐体１１と第２の筐体１２とを備える。第１の筐体１１と第２の筐体１２とはヒンジ１３により開閉自在に結合されている。筐体１０が閉状態のとき、第１の筐体１１の前面と第２の筐体１２の前面とは対向して当接する。
タッチパネル２０は、ディスプレイとタッチパッドとを備える入出力デバイスである。タッチパネル２０は、第１の筐体１１の前面に設けられる。
スピーカ３０は、通話時に相手の音声を出力する出力デバイスである。スピーカ３０は、第１の筐体１１の前面に設けられる。
マイク４０は、通話時に音声を入力する入力デバイスである。マイク４０は、第２の筐体１２の前面に設けられる。
インカメラ５０は、利用者の画像を撮像する撮像デバイスである。インカメラ５０は、第１の筐体１１の前面に設けられる。
【００１５】
近接センサ６０は、投光素子と受光素子を備え、光を投受光することにより近接する物体の有無を判定するセンシングデバイスである。具体的には、近接センサ６０は受光素子の受光量と所定の検出閾値とを比較して、受光量が検出閾値より高い場合に、近接する物体があると判定する。他方、近接センサ６０は受光素子の受光量と所定の非検出閾値とを比較して、受光量が非検出閾値より低い場合に、近接する物体が無いと判定する。なお、近接センサ６０は受光素子の受光量が、非検出閾値以上かつ検出閾値以下である場合、近接する物体の有無が不明であると判定する。近接センサ６０は、第１の筐体１１の前面に設けられる。したがって、筐体が閉状態のとき、近接センサ６０は遮蔽されることとなる。
【００１６】
開閉センサ７０は、筐体１０の開閉を検知するセンシングデバイスである。開閉センサ７０は、ヒンジ１３の内部に設けられる。
姿勢センサ８０は、加速度センサやジャイロセンサなど、筐体１０の加速度や角速度を検出するセンシングデバイスである。姿勢センサ８０は、第２の筐体１２の内部に設けられる。
【００１７】
ＲＯＭ９０は、ＣＰＵ１１０が実行するプログラム等の固定データを記憶する。
ＲＡＭ１００は、ＣＰＵ１１０がプログラムを実行する際に一時的に必要とされるデータを記憶する。
【００１８】
図２は、本発明の一実施形態による携帯電話端末１のソフトウェア構成を示す概略ブロック図である。
ＣＰＵ１１０は、ＲＯＭ９０が記憶するプログラムを実行することで、アプリケーション実行部１１１、状況判定部１１２、特性判定部１１３、受光量取得部１１４、閾値調整部１１５、通知部１１６を備える。
【００１９】
アプリケーション実行部１１１は、通話や撮像などのアプリケーションを実行する。特に、アプリケーション実行部１１１は、通話アプリケーションを実行している場合において、近接センサ６０が近接する物体があると判定したとき、タッチパネル２０の入出力を切断する。
【００２０】
状況判定部１１２は、アプリケーション実行部１１１が実行しているアプリケーション、開閉センサ７０が検知した筐体１０の開閉状態、姿勢センサ８０が取得したセンサ情報などに基づいて、近接する物体の有無が明らかな状況であるか否かを判定する。
具体的には、状況判定部１１２は、アプリケーション実行部１１１が撮像アプリケーションの実行によりインカメラ５０による撮像を行っている場合に、近接する物体が無いことが明らかな状況であると判定する。これは、インカメラ５０により利用者の画像を撮像するためには、インカメラ５０と利用者との間に相当の距離をおく必要があるので、インカメラ５０と同一の面に設けられた近接センサ６０に近接する物体が無いことが明らかであるためである。
また、状況判定部１１２は、開閉センサ７０によって筐体１０が閉状態であると判定された場合に、近接する物体があることが明らかな状況であると判定する。これは、筐体１０が閉状態のとき、第１の筐体１１の前面と第２の筐体１２の前面とは対向して当接するので、第１の筐体１１の前面に設けられた近接センサ６０には、第２の筐体１２が近接していることが明らかであるためである。
また、状況判定部１１２は、姿勢センサ８０が取得したセンサ情報に基づいて筐体１０が安定していないと判定したときに、近接する物体の有無が明らかな状況でないと判定する。これは、筐体１０が安定していない場合、姿勢センサ８０が検知する物体との位置関係が動的に変化している可能性があるためである。
【００２１】
特性判定部１１３は、近接センサ６０から判定結果を取得し、状況判定部１１２が判定した状況と結果が一致するか否かを判定することで、近接センサ６０の受光特性が変化したと判定する。具体的には、特性判定部１１３は、状況判定部１１２が、近接する物体があることが明らかな状況であると判定した場合において、近接センサ６０が近接する物体が無いと判定したときに、近接センサ６０の受光特性が変化したと判定する。また、特性判定部１１３は、状況判定部１１２が、近接する物体が無いことが明らかな状況であると判定した場合において、近接センサ６０が近接する物体があると判定したときに、近接センサ６０の受光特性が変化したと判定する。
【００２２】
受光量取得部１１４は、近接センサ６０から受光素子の受光量を取得する。
閾値調整部１１５は、特性判定部１１３が、近接センサ６０の受光特性が変化したと判定した場合に、受光量取得部１１４が取得した受光量に基づいて、近接センサ６０の閾値を調整する。
通知部１１６は、近接センサ６０の閾値調整によっても近接センサ６０を改修できない場合に、タッチパネル２０やスピーカ３０を介してその旨を通知する。
【００２３】
次に、携帯電話端末１による近接センサ６０の調整方法について説明する。
図３は、本発明の一実施形態による携帯電話端末１による近接センサ６０の調整方法を示すフローチャートである。
まず、状況判定部１１２は、アプリケーション実行部１１１が実行するアプリケーションの種別を取得し、当該アプリケーションが近接センサ６０の判定結果を用いるものであるか否かを判定する（ステップＳ１）。状況判定部１１２は、アプリケーション実行部１１１が実行するアプリケーションが、近接センサ６０の判定結果を用いるものであると判定した場合（ステップＳ１：ＹＥＳ）、近接センサ６０の調整を行わずに、処理を終了する。
【００２４】
他方、状況判定部１１２は、アプリケーション実行部１１１が実行するアプリケーションが、近接センサ６０の判定結果を用いないものであると判定した場合（ステップＳ１：ＮＯ）、近接する物体の有無が明らかな状況であるか否かを判定する（ステップＳ２）。状況判定部１１２は、近接する物体の有無が明らかな状況でないと判定した場合（ステップＳ２：ＮＯ）、近接センサ６０の調整を行わずに、処理を終了する。
【００２５】
他方、状況判定部１１２は、近接する物体の有無が明らかな状況であると判定した場合（ステップＳ２：ＹＥＳ）、姿勢センサ８０の動作を開始させ、姿勢センサ８０からセンサ情報を取得する。また、同時に特性判定部１１３は、近接センサ６０の動作を開始させ、近接センサ６０から判定結果を取得する。また、受光量取得部１１４は、近接センサ６０の受光量を取得する（ステップＳ３）。このとき、姿勢センサ８０及び近接センサ６０は、所定の時間間隔で複数回の測定を実施する。
【００２６】
姿勢センサ８０及び近接センサ６０が複数回の測定を終了すると、状況判定部１１２は、姿勢センサ８０のセンサ情報に基づいて、姿勢センサ８０が取得したセンサ情報に基づいて筐体１０が安定しているか否かを判定する（ステップＳ４）。状況判定部１１２が、筐体１０が安定していないと判定した場合（ステップＳ４：ＮＯ）、特性判定部１１３及び受光量取得部１１４は、近接センサ６０から取得した判定結果及び受光量を破棄し、処理を終了する。
【００２７】
他方、状況判定部１１２が、筐体１０が安定していると判定した場合（ステップＳ４：ＹＥＳ）、特性判定部１１３は、近接センサ６０から取得した複数の判定結果と状況判定部１１２がステップＳ２で判定した状況とに基づいて、近接センサ６０の受光特性が変化したか否かを判定する（ステップＳ５）。具体的には、特性判定部１１３は、状況判定部１１２が、近接する物体があることが明らかな状況であると判定した場合において、近接センサ６０が連続して所定回数以上、近接する物体があるとする判定結果を出力した場合に、近接センサ６０の受光特性が変化していないと判定する。同様に、特性判定部１１３は、近接する物体が無いことが明らかな状況であると判定した場合において、近接センサ６０が連続して所定回数以上、近接する物体が無いとする判定結果を出力した場合に、近接センサ６０の受光特性が変化していないと判定する。これ以外の場合は、特性判定部１１３は、近接センサ６０の受光特性が変化したと判定する。
【００２８】
特性判定部１１３は、近接センサ６０の受光特性が変化していないと判定した場合（ステップＳ５：ＮＯ）、検出に問題が無いので、近接センサ６０の閾値を調整することなく処理を終了する。
他方、特性判定部１１３が、近接センサ６０の受光特性が変化したと判定した場合（ステップＳ５：ＹＥＳ）、閾値調整部１１５は、受光量取得部１１４が取得した受光量に基づいて近接センサ６０の検出閾値または非検出閾値として用いることができる受光量を算出する（ステップＳ６）。なお、閾値調整部１１５は、ステップＳ２において状況判定部１１２が近接する物体があることが明らかな状況であると判定した場合に、検出閾値として用いることができる受光量を算出し、ステップＳ２において状況判定部１１２が近接する物体が無いことが明らかな状況であると判定した場合に、非検出閾値として用いることができる受光量を算出する。
【００２９】
具体的には、閾値調整部１１５は、受光量取得部１１４が取得した受光量と検出閾値または非検出閾値として用いることができる受光量とを比較した場合に、連続して所定回数以上、受光量が検出閾値を上回るように、または非検出閾値を下回るように、検出閾値または非検出閾値を算出する。
【００３０】
図４は、近接センサ６０の受光量と物体の距離との関係を示す図である。
図４（Ａ）は、近接センサ６０のウインドウの汚損が投光した光を反射する場合の受光量と物体の距離との関係を示す図である。また、図４（Ｂ）は、近接センサ６０のウインドウの汚損が投光した光を吸収・拡散する場合の受光量と物体の距離との関係を示す図である。
近接センサ６０の受光量と物体との距離とが分かっている場合、閾値調整部１１５は、図４（Ａ）に示すように近接する物体があると判定すべき距離のときの受光量を検出閾値とし、図４（Ｂ）に示すように近接する物体が無いと判定すべき距離のときの受光量を非検出閾値とするよう調整することが好ましい。
【００３１】
閾値調整部１１５は、ステップＳ６で検出閾値または非検出閾値として用いることができる受光量を算出すると、算出した受光量を検出閾値または非検出閾値として用いる場合に、検出閾値が非検出閾値以下になるか否かを判定する（ステップＳ７）。閾値調整部１１５は、算出した受光量を検出閾値または非検出閾値として用いても、検出閾値が非検出閾値以下にならないと判定した場合（ステップＳ７：ＮＯ）、近接センサ６０の閾値をステップＳ６で算出した受光量に変更する（ステップＳ８）。
【００３２】
他方、閾値調整部１１５が、算出した受光量を検出閾値または非検出閾値として用いた場合に、検出閾値と非検出閾値との差が所定値以下になると判定した場合（ステップＳ７：ＹＥＳ）、通知部１１６は、タッチパネル２０及びスピーカ３０を介して、近接センサ６０が正常に動作しない旨を利用者に通知する（ステップＳ９）。
【００３３】
図５は、閾値調整部１１５により非検出閾値の調整をすることができない場合の例を示す図である。
図５に示すように、非検出物以外のものによる反射光の影響が著しく大きい場合、非検出物の距離が変化してもセンサの受光量が変化しないことがある。このような場合には、閾値の設定を変更したとしても、誤判定が多くなることが予想される。したがって、閾値調整部１１５が閾値を変化させても近接センサ９０による近接する物体の有無の判定結果が正しくならないため、閾値の変更をせずに、利用者への通知を行う。
【００３４】
このように、本実施形態によれば、近接する物体の有無が明らかな状況において、近接センサ６０による近接する物体の有無の判定結果が誤っているときに、近接センサ６０の受光特性が変化したと判定する。これにより、携帯電話端末１に新たに装置構成を増やすことなく、近接センサ６０の調整を行うことができる。
【００３５】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、状況判定部１１２は、アプリケーション実行部１１１が撮像アプリケーションの実行によりインカメラ５０による撮像を行っている場合に、近接する物体が無いことが明らかな状況であると判定し、また開閉センサ７０によって筐体１０が閉状態であると判定された場合に、近接する物体があることが明らかな状況であると判定する場合について説明したが、これに限られない。
【００３６】
図６は、本発明の他の実施形態による携帯電話端末１の概観図である。
図６に示すように、携帯電話端末１がクレードル１２０（ホルダ）に設置されたときに、近接センサ６０が露出するものである場合、状況判定部１１２は、携帯電話端末１がクレードル１２０に設置されている場合に、近接する物体が無いことが明らかな状況であると判定しても良い。
【００３７】
また、本実施形態では、本発明による近接センサ調整装置が携帯電話端末１に実装される場合について説明したが、これに限られず、ＰＣ（Ｐｅｒｓｏｎａｌ  Ｃｏｍｐｕｔｅｒ）、タブレット端末その他の電子機器に実装しても良い。
【００３８】
また、本実施形態では、ＣＰＵ１１０が、ＲＯＭ９０に記録されたプログラムを実行することによって、上記処理が行われる場合について説明したが、これに限られず、プログラムは、その他のコンピュータ読み取り可能な記録媒体に記憶されていても良い。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このプログラムを通信回線によって携帯電話端末１に配信し、この配信を受けた携帯電話端末１のＣＰＵ１１０が当該プログラムを実行するようにしても良い。
【００３９】
また、上記プログラムは、前述した機能の一部を実現するためのものであっても良い。さらに、前述した機能を携帯電話端末１にすでに記録されているプログラムとの組み合わせで実現できるもの、いわゆる差分ファイル（差分プログラム）であっても良い。
【００４０】
《基本構成》
図７は、本発明による近接センサ調整装置の基本構成を示す概略ブロック図である。
上述した実施形態では、本発明による近接センサ調整装置の一実施形態として図２に示す構成について説明したが、本発明による近接センサ調整装置の基本構成は、図７に示すとおりである。
すなわち、本発明による近接センサ調整装置は、近接センサ６０、状況判定部１１２、及び特性判定部１１３を基本構成とする。
【００４１】
近接センサ６０は、光を投受光することにより近接する物体の有無を判定する。
状況判定部１１２は、近接する物体の有無が明らかな状況であるか否かを判定する。
特性判定部１１３は、状況判定部１１２が、近接する物体の有無が明らかな状況であると判定した場合において、近接センサ６０による近接する物体の有無の判定結果が誤っているときに、近接センサ６０の受光特性が変化したと判定する。
これにより、近接センサ調整装置は、新たに装置構成を増やすことなく、近接センサ６０の調整を行うことができる。
【符号の説明】
【００４２】
１…携帯電話端末  １０…筐体  １１…第１の筐体  １２…第２の筐体  １３…ヒンジ  ２０…タッチパネル  ３０…スピーカ  ４０…マイク  ５０…インカメラ  ６０…近接センサ  ７０…開閉センサ  ８０…姿勢センサ  ９０…ＲＯＭ  １００…ＲＡＭ  １１０…ＣＰＵ  １１１…アプリケーション実行部  １１２…状況判定部  １１３…特性判定部  １１４…受光量取得部  １１５…閾値調整部  １１６…通知部  １２０…クレードル
【図１】
2013258517.tif 000003
【図２】
2013258517.tif 000004
【図３】
2013258517.tif 000005
【図４】
2013258517.tif 000006
【図５】
2013258517.tif 000007
【図６】
2013258517.tif 000008
【図７】
2013258517.tif 000009